(57)【要約】【課題】  貯湯タンク内に配設される熱交換器を容易に取り出してメンテナンスや交換が行える貯湯式給湯機を提供する。【解決手段】  給水口１１及び吐出口１２を備えた貯湯タンク１内に貯められる湯水を加熱する加熱手段を備えるとともに、貯湯タンク１内に貯められる湯水の熱を利用して流体を加熱するための熱交換器５を貯湯タンク１内に配設する貯湯式給湯機である。貯湯タンク１の外壁部に開口１３を形成するとともに前記開口１３を閉塞する開口蓋６を着脱自在に設け、前記開口蓋６に前記開口１３を出入れ自在に形成した熱交換器５を取り付けた。【選択図】        図１
2005241057.tif 000002
【特許請求の範囲】
【請求項１】
給水口及び吐出口を備えた貯湯タンク内に貯められる湯水を加熱する加熱手段を備えるとともに、貯湯タンク内に貯められる湯水の熱を利用して流体を加熱するための熱交換器を貯湯タンク内に配設する貯湯式給湯機において、貯湯タンクを略筒状の側面部の上下に頂部及び底部を設けて形成し、貯湯タンクの頂部に開口を形成するとともに前記開口を閉塞する開口蓋を着脱自在に設け、前記開口蓋に前記開口を出入れ自在に形成した熱交換器を取り付けて成ることを特徴とする貯湯式給湯機。
【請求項２】
貯湯タンクに形成した開口の周縁から外方に向けて略筒状の立上がり部を突設するとともに立上がり部の開口端部にフランジ部を形成し、前記フランジ部に当接して立上がり部の開口端部を閉塞する開口蓋をフランジ部に着脱自在に取り付けて成ることを特徴とする請求項１記載の貯湯式給湯機。
【発明の詳細な説明】
【技術分野】
【０００１】
本発明は、貯湯タンクに湯水を貯める貯湯式給湯機に関する。
【背景技術】
【０００２】
従来より給湯機として貯湯式給湯機が用いられている（例えば特許文献１参照）。貯湯式給湯機は、図３に示すように、内部に湯水を貯めるための貯湯タンク１に給水口１１と吐出口１２が設けてあり、貯湯タンク１内に貯められる湯水を加熱する加熱手段を備えるとともに、例えば温水床暖房システムにおける温水を作るためや風呂の追焚きをするため、流体（前記の場合には貯湯タンク内に貯められる湯水とは別の湯水）を加熱する熱交換器５が配設してある。加熱手段としては特に限定されないが、図３の従来例ではヒートポンプ（図示せず）を用いており、このヒートポンプへ貯湯タンク１内の湯水を送るヒートポンプ往管２１とヒートポンプ復管２２が接続してある。図中の２３は水抜き弁を、２４は逃がし弁を示す。
【０００３】
熱交換器５は、流体が内部を流れる管からなるもので、貯湯タンク１内に貯められる湯水を加熱するため貯湯タンク１内に本体の熱交換部が配設されるとともに、本体の熱交換部に湯水を搬送するための往管及び復管は貯湯タンク１の側壁に形成した管挿通孔に挿通して固定的に取り付けてあった。
【０００４】
このため、この従来の貯湯式給湯機にあっては、熱交換器５が貯湯タンク１内に固定されているため、メンテナンス時に取り出したりあるいは熱交換器５を交換することができないものであった。
【特許文献１】特開２００３−２１４７１１号公報
【発明の開示】
【発明が解決しようとする課題】
【０００５】
本発明はこのような点に鑑みなされたものであって、その目的とするところは、貯湯タンク内に配設される熱交換器を容易に取り出してメンテナンスや交換が行える貯湯式給湯機を提供することにある。
【課題を解決するための手段】
【０００６】
上記課題を解決するために請求項１に係る発明にあっては、給水口１１及び吐出口１２を備えた貯湯タンク１内に貯められる湯水を加熱する加熱手段を備えるとともに、貯湯タンク１内に貯められる湯水の熱を利用して流体を加熱するための熱交換器５を貯湯タンク１内に配設する貯湯式給湯機において、貯湯タンク１を略筒状の側面部１ａの上下に頂部１ｂ及び底部１ｃを設けて形成し、貯湯タンク１の頂部１ｂに開口１３を形成するとともに前記開口１３を閉塞する開口蓋６を着脱自在に設け、前記開口蓋６に前記開口１３を出入れ自在に形成した熱交換器５を取り付けて成ることを特徴とするものである。このような構成とすることで、熱交換器５を貯湯タンク１から容易に取り外すとともに取り出すことが可能となって、熱交換器５を取り出してのメンテナンスや、熱交換器５の交換を容易に行うことができ、また、開口１３を貯湯タンク１の頂部１ｂに形成するようにしたことで、頂部１ｂを形成する際に開口１３を同時に形成することが可能となって開口１３の形成が容易となる。
【０００７】
また、請求項２に係る発明にあっては、請求項１において、貯湯タンク１に形成した開口１３の周縁から外方に向けて略筒状の立上がり部１４を突設するとともに立上がり部１４の開口端部にフランジ部１５を形成し、前記フランジ部１５に当接して立上がり部１４の開口端部を閉塞する開口蓋６をフランジ部１５に着脱自在に取り付けて成ることを特徴とするものである。このような構成とすることで、ボルト６２及びナット６３にて開口蓋６を貯湯タンク１に取り付けられて取り付けが容易となる。
【発明の効果】
【０００８】
本発明にあっては、熱交換器を貯湯タンクから容易に取り外すとともに取り出すことが可能となって、熱交換器を取り出してのメンテナンスや、熱交換器の交換を容易に行うことができるとともに、開口を貯湯タンクの頂部に形成するようにしたことで、頂部を形成する際に開口を同時に形成することが可能となって開口の形成が容易となる。
【発明を実施するための最良の形態】
【０００９】
以下、本発明を添付図面に示す実施形態に基づいて説明する。図１に本発明の貯湯式給湯機の構成図を示す。貯湯式給湯機は貯湯タンク１にて主体が構成される。
【００１０】
貯湯タンク１は、略筒状（本実施形態では円筒状）の側面部１ａの上下に深絞り加工にて形成される大略半球状又は外方に膨らんだ曲面状の鏡板からなる頂部１ｂ及び底部１ｃを溶接等によって設けた密閉構造となっている。この貯湯タンク１には給水口１１及び吐出口１２を設けるもので、本実施形態では低温の水を供給するための給水口１１を貯湯タンク１の底部１ｃに設け、高温の湯を吐出するための吐出口１２を頂部１ｂに設けてある。給水口１１には、水道等と接続されている給水管３の下流側端部が接続され、この給水管３には給水栓３１及び減圧弁３２を設けて低圧の水を自在に貯湯タンク１内に供給可能となっている。また、吐出口１２には給湯管４の上流側端部が接続され、図示しないがこの給湯管４の下流側に設けてある給湯栓を開閉することで貯湯タンク１内の高温の湯が吐出口１２から外部へ供給される。
【００１１】
この貯湯タンク１には加熱手段が設けられる。加熱手段は、貯湯タンク１内に貯められる湯水を加熱するもので、本実施形態ではヒートポンプを用いるものである。詳述すると、貯湯タンク１の底部１ｃに貯湯タンク１内の底部１ｃの水をヒートポンプへと搬送するためのヒートポンプ往管２１の上流側端部を接続し、貯湯タンク１の頂部１ｂにヒートポンプで加熱した湯を貯湯タンク１内に戻すためのヒートポンプ復管２２の下流側端部を接続するもので、ヒートポンプ往管２１の下流側端部及びヒートポンプ復管２２の上流側端部はヒートポンプの熱交換部に接続されている。また、ヒートポンプ往管２１には水抜き用弁２３が設けてあるとともに、ヒートポンプ復管２２には逃がし弁２４が設けてある。
【００１２】
そしてこの貯湯タンク１には熱交換器５を内部に配設するものである。熱交換器５は、風呂の湯の追い焚き用や温水床暖房用等、特に用途は限定されないが、本実施形態では風呂の湯の追い焚き用のものとする。この熱交換器５は管からなるもので、管を巻いた状態の熱交換部５１の上流側は、湯船内の湯がこの熱交換部５１に搬送される復管５２となるとともに、熱交換部５１の下流側は、この熱交換部５１で加熱された湯を湯船に戻すための往管５３となる。この熱交換器５は、後述するように容易に交換可能に貯湯タンク１内に配設される。
【００１３】
貯湯タンク１には、熱交換器５を出し入れするための開口１３が形成され、熱交換器５はこの開口１３を通して貯湯タンク１の内外に出入れ自在となるように形成してある。すなわち、熱交換器５を為すコイル状に巻いてある管の径を前記開口１３の径よりも小さくすることで開口１３を出入れ自在としてある。
【００１４】
本実施形態では、貯湯タンク１の前記開口１３の周縁から外側に立上がり部１４を突設するとともに、この立上がり部１４の先端にフランジ部１５を形成してある。具体的には、貯湯タンク１の頂部１ｂをバーリング加工することで開口１３及び立上がり部１４を形成し、この立上がり部に外側から筒状部と鍔部（即ちフランジ部１５）とからなるフランジ部品の筒状部を嵌め込んで溶接固定する。このように、開口１３を貯湯タンク１の鏡板からなる頂部１ｂに形成するようにしたことで、頂部１ｂを深絞り加工にて形成する際にバーリング加工を行って開口１３を同時に形成することができて、製作工程を特に増やすことなく容易に開口１３が形成可能となるものである。なお、底部１ｃに開口１３を設ける場合も、底部１ｃは頂部１ｂと同様の鏡板からなるものであるため、上述した頂部１ｂの場合と同様の加工方法によって同様の効果が得られる。
【００１５】
そして、このフランジ部１５の外径とほぼ同じ外径の円板状をした開口蓋６に熱交換器５を取り付けてある。開口蓋６には、熱交換器５の復管５２と往復５３とが接続される金属製の管部７が表裏方向に埋設してある。そして、熱交換器５を開口蓋６の内部側（貯湯タンク１の内部に配設される側）にその熱交換部５１を配置するとともに、熱交換部５１からの往管５３及び復管５２を前記管部７にそれぞれ接続してある。
【００１６】
この熱交換器５を貯湯タンク１内部に配設するには、前記開口１３に外部から開口蓋６に取り付けた熱交換器５の熱交換部５１を挿入し、開口蓋６をフランジ部１５に当接してボルト６２及びナット６３にて締結固定する。これにより、熱交換器５の熱交換部５１が貯湯タンク１内に配設されるとともに熱交換器５の往管５３及び復管５２が接続された管部７の先端が開口蓋６から外方に突出する状態となり、この突出する管部７にそれぞれ湯船に連通する管を接続することで湯船と貯湯タンク１内に配設される熱交換器５を接続できることとなる。
【００１７】
以上のように、貯湯タンク１の外壁部に開口１３を形成し、この開口１３を出入れ自在に形成した熱交換器５を取り付けた開口蓋６を開口１３に着脱自在に取り付けたことで、熱交換器５を貯湯タンク１から容易に取り外すとともに取り出すことができて、熱交換器５を取り出してのメンテナンスや、熱交換器５の交換を容易に行うことができる。また、貯湯タンク１に形成した開口１３の周縁に立上がり部１４及びフランジ部１５を設け、開口蓋６をこのフランジ部１５に着脱自在に取り付けるようにしたことで、ボルト６２及びナット６３にて開口蓋６を貯湯タンク１に取り付けられて取り付けが容易となる。
【図面の簡単な説明】
【００１８】
【図１】本発明の一実施形態の構成図である。
【図２】同上の要部拡大図である。
【図３】従来の貯湯式給湯機の構成図である。
【符号の説明】
【００１９】
１    貯湯タンク
１１  給水口
１２  吐出口
１３  開口
５    熱交換器
６    開口蓋
【図１】
2005241057.tif 000003
【図２】
2005241057.tif 000004
【図３】
2005241057.tif 000005